(57)【要約】【課題】エレベータロープの張力状態を人手を介することなく効率的に、かつ、分かりやすく判定することができるエレベータロープの張力判定システムを提供する。【解決手段】エレベータの主ロープ2A〜2Cの張力を判定する張力判定システムであって、主ロープ2A〜2Cの端部が接続されるロープヒッチ部7に設けられ、主ロープ2A〜2Cに架かる張力を検出して張力検出信号を出力する張力センサ10A〜10Cと、張力検出信号を入力して基準信号と比較することで、主ロープ2A〜2Cの張力を判定して判定信号を出力する張力判定部（制御盤12）と、判定信号を入力して判定結果を表示する表示器14A〜14Cとを備える。【選択図】図２
2019119564.tif 000002
【特許請求の範囲】
【請求項１】
エレベータの主ロープの張力を判定する張力判定システムであって、
前記主ロープの端部が接続されるロープヒッチ部に設けられ、前記主ロープに架かる張力を検出して張力検出信号を出力する張力センサと、
前記張力検出信号を入力して基準信号と比較することで、前記主ロープの張力を判定して判定信号を出力する張力判定部と、
前記判定信号を入力して判定結果を表示する表示器と、
を備えることを特徴とするエレベータロープの張力判定システム。
【請求項２】
前記ロープヒッチ部は、ヒッチプレートと、このヒッチプレート上に設けられるコイルばねと、このコイルばねの圧縮力を調整することで前記主ロープの張力を調整する張力調整部とを備え、
前記張力センサは、前記ヒッチプレートと前記コイルばねとの間に介挿されたロードセルで構成される、
ことを特徴とする請求項１に記載のエレベータロープの張力判定システム。
【請求項３】
前記張力判定部は、エレベータの運転を制御する制御盤内に設けられ、
前記張力センサからの張力検出信号が基準値以上である場合には、正常信号を生成し、基準値未満である場合には、異常信号を生成し、これら正常信号又は異常信号を前記表示器の点灯信号又は消灯信号として出力する、
ことを特徴とする請求項１又は２に記載のエレベータロープの張力判定システム。
【請求項４】
前記表示器は、ヒッチプレート上に設置された表示装置内に設けられたＬＥＤ表示器であり、入力された前記判定信号が正常信号であるか、又は異常信号であるかを表示する、
ことを特徴とする請求項３に記載のエレベータロープの張力判定システム。
【請求項５】
前記張力判定部は、第１の基準値と、第２の基準値とを備え、
前記張力センサからの張力検出信号が第１の基準値以上である場合には、正常信号を生成し、第１の基準値未満で第２の基準値以上である場合には、注意信号を生成し、第２の基準値未満である場合には、異常信号を生成し、これら正常信号、注意信号又は異常信号を前記表示器に出力し、
前記表示器は、判定信号が正常信号、注意信号又は異常信号であるかによって、表示態様を変更する、
ことを特徴とする請求項１又は２に記載のエレベータロープの張力判定システム。
【発明の詳細な説明】
【技術分野】
【０００１】
本発明の実施形態は、エレベータロープの張力判定システムに関する。
【背景技術】
【０００２】
エレベータロープ（以下、「主ロープ」とも称する）は、乗りかごとつり合いおもりとを連結し、巻上機から動力を得て昇降路内を上下動する。主ロープは、通常、複数本、設けられているが、各ロープ間で張力にばらつきが生じることがある。ロープ間で張力のばらつきがあると、乗り心地が悪くなるばかりでなく、ロープ寿命に悪影響を与える。
【０００３】
従来は、保守作業員が各ロープの張力を測定し、張力にばらつきがあると、ロープ端部が接続されているロープヒッチ部に移動して張力調整用のコイルばねの長さを調整する。その後、再び、かごを移動させてロープの張力を測定する。ロープの張力が基準範囲内であれば、点検作業は完了する。ロープの張力が基準範囲外であれば、再度、コイルばねの調整を行い、基準範囲内に入るまで調整を繰り返す。
【先行技術文献】
【特許文献】
【０００４】
【特許文献１】特開２０１６−０６０５８３号公報
【特許文献２】特開平０９−２５５２５９号公報
【発明の概要】
【発明が解決しようとする課題】
【０００５】
上述したように、従来のエレベータロープの張力調整は、保守作業員の人力によって張力測定、張力調整を行っているので、ロープ本数の多いエレベータでは、点検作業に多大の時間を要するという不具合がある。特に、高層階エレベータにあっては、ロープヒッチ部に移動して張力を測定するまでに長時間を要する。また、持ち運びに不便な張力測定用の器具を用意しなければならず、作業負担が多大になる。
【０００６】
また、各ロープには個体差があり、コイルばねの長さが等しくても、張力が等しいとは限らないため、張力の調整作業が繁雑になるという不具合もある。
【０００７】
各ロープ間での張力のばらつき（不均一）は、シーブの繩痕、走行時の振動発生源の要因となり、効率的なエレベータロープの張力判定手法の開発が望まれている。
【０００８】
本発明の目的は、エレベータロープの張力状態を人手を介することなく効率的に、かつ、分かりやすく判定することができるエレベータロープの張力判定システムを提供することにある。
【課題を解決するための手段】
【０００９】
上記の目的を達成するための実施形態は、エレベータの主ロープの張力を判定する張力判定システムであって、前記主ロープの端部が接続されるロープヒッチ部に設けられ、前記主ロープに架かる張力を検出して張力検出信号を出力する張力センサと、前記張力検出信号を入力して基準信号と比較することで、前記主ロープの張力を判定して判定信号を出力する張力判定部と、前記判定信号を入力して判定結果を表示する表示器と、を備える。
【図面の簡単な説明】
【００１０】
【図１】本発明の実施形態が適用されたエレベータシステムの全体構成図。
【図２】本発明の実施形態に係るエレベータロープの張力判定システムの全体構成図。
【図３】本発明の実施形態に係るエレベータロープの張力判定システムの機能ブロック図。
【図４】エレベータロープの張力が正常な場合のロープヒッチ部の状態を示す説明図。
【図５】図４に示すエレベータロープの張力が正常な場合の判定信号の出力レベルを示す説明図。
【図６】エレベータロープの張力が正常でない場合のロープヒッチ部の状態を示す説明図。
【図７】図６に示す実施形態におけるエレベータロープの張力が正常でない場合の判定信号の出力レベルと表示器の点灯レベルとを示す説明図。
【図８】他の実施形態におけるエレベータロープの張力が正常でない場合の判定信号の出力レベルと表示器の点灯レベルとを示す説明図。
【発明を実施するための形態】
【００１１】
＜第１実施形態＞
初めに、本発明の実施形態が適用されたエレベータシステムの概略構成を図１を参照して説明する。
【００１２】
図示のシステムは、２…１ローピングのエレベータを示している。乗りかご１は主ロープ２によってつり合いおもり３と接続されており、巻上機４の駆動力を得て昇降路内を上下動する。乗りかご１は、かごシーブ５を介して主ロープ２により懸架され、つり合いおもり３は、つり合いおもりシーブ６を介して主ロープ２により懸架されている。主ロープ２の両端はそれぞれロープヒッチ部７，７に固定されている。ロープヒッチ部７，７はコイルばね８，８を備えており、主ロープ２の張力調整を行う。
【００１３】
図２は実施形態におけるエレベータロープの張力判定システム１００の構成を示している。
【００１４】
本実施形態において、主ロープ２は、３本の主ロープ２Ａ，２Ｂ，２Ｃから構成されている。以下、各主ロープ２Ａ，２Ｂ，２Ｃに対応する構成部材には、Ａ，Ｂ，Ｃを添えて区別することとする。
【００１５】
コイルばね８も各主ロープ２Ａ，２Ｂ，２Ｃに対応する３本のコイルばね８Ａ，８Ｂ，８Ｃを備えている。コイルばね８Ａ，８Ｂ，８Ｃは、主ロープ２Ａ，２Ｂ，２Ｃの各端部の外周に挿入されている。
【００１６】
本実施形態においては、各コイルばね８Ａ，８Ｂ，８Ｃとヒッチプレート９との間に張力センサ１０Ａ．１０Ｂ，１０Ｃが設置されている。
【００１７】
これらの張力センサ１０Ａ，１０Ｂ，１０Ｃは、例えばロードセルで構成され、各主ロープ２Ａ，２Ｂ，２Ｃにかかる荷重を検出する。張力センサ１０Ａ．１０Ｂ，１０Ｃで測定された張力測定信号は、それぞれ制御盤１２に出力される。
【００１８】
また、各コイルばね８Ａ，８Ｂ，８Ｃとヒッチプレート９との間には張力調整部１１Ａ，１１Ｂ，１１Ｃが設けられている。張力調整部１１Ａ，１１Ｂ，１１Ｃは調整ナットを備え、主ロープ２Ａ，２Ｂ，２Ｃの張力に応じてコイルばね８Ａ，８Ｂ，８Ｃの圧縮力を調整することで張力の調整を行うことができる。
【００１９】
制御盤１２は、図３に示すように、各張力センサ１０Ａ，１０Ｂ，１０Ｃ毎の張力を判定する張力判定部１２Ａ，１２Ｂ，１２Ｃを備えている。表示装置１３は、各張力センサ１０Ａ，１０Ｂ，１０Ｃに対応する表示器１４Ａ，１４Ｂ，１４Ｃとを備えている。１５は電源スイッチである。
【００２０】
表示器１４Ａ，１４Ｂ，１３Ｃは、例えば、ＬＥＤで構成され、エレベータロープの張力測定信号を入力し、その信号レベルが基準値以下（点灯レベル以下）になると、該当する表示器１４Ａ，１４Ｂ，１４Ｃが消灯する。すなわち、信号レベルが基準値以下になると点灯中の表示器が消灯するので、確実に張力の低下を報知することができる。
【００２１】
次に、第1実施形態の作用を図４〜図７を参照して説明する。
【００２２】
エレベータが経年使用されると、主ロープ２Ａ，２Ｂ，２Ｃが徐々に伸びてくる。主ロープ２Ａ，２Ｂ，２Ｃが伸びると、張力センサ１０Ａ，１０Ｂ，１０Ｃに掛かる荷重に変化が生じる。張力センサ１０Ａ，１０Ｂ，１０Ｃは、荷重の変化を張力信号として制御盤１２に出力する。表示装置１３の電源スイッチ１５をオンさせたとき、主ロープ２Ａ，２Ｂ，２Ｃ毎に設けられた表示器１４Ａ，１４Ｂ，１４Ｃが点灯と消灯に分けられる。表示器１４Ａ，１４Ｂ，１４Ｃが消灯している主ロープ２Ａ，２Ｂ，２Ｃに対しては、張力調整が必要であることが視覚的に判断することができる。
【００２３】
図４に示すように、３本の主ロープ２Ａ，２Ｂ，２Ｃの張力が全て正常な状態である場合、コイルばね８Ａ，８Ｂ，８Ｃは、正常な長さを維持している。図５は、そのときの張力検出信号のレベルを示している。３本の主ロープ２Ａ，２Ｂ，２Ｃの張力検出信号のレベルは、全て同じであり、基準値である点灯レベルを超えているので、表示器１４Ａ，１４Ｂ，１４Ｃは全て点灯状態となる。
【００２４】
図６に示すように、３本の主ロープ２Ａ，２Ｂ，２Ｃの内、主ロープ２Ｂ，２Ｃが正常状態よりも伸びると、張力センサ１０Ｂ，１０Ｃからの張力検出信号の信号レベルが低下する。すると、図７に示すように、信号レベルが点灯レベルを下回り、表示器１４Ｂ，１４Ｃが消灯する。これにより、主ロープ２Ｂ，２Ｃの張力が基準値よりも低下したことを報知することができる。
【００２５】
このように、第１実施形態によれば、経年劣化等に起因して主ロープ２が伸びたことを張力センサで検出してその状態を表示装置１３に表示することができ、調整が必要な主ロープ２を直ちに判別することができる。しかも何ら保守作業員の人力を煩わせることが無く容易に判別することが可能になる。
【００２６】
なお、第１実施形態では、張力が正常であり、基準値以上である場合に表示器１４Ａ，１４Ｂ，１４Ｃは点灯し、基準値未満である場合に消灯するように構成したが、逆であってもよい。すなわち、張力が基準値以上である正常状態の場合には表示器１４Ａ，１４Ｂ，１４Ｃは消灯しており、基準値未満になった場合に点灯して警報するように構成してもよい。
【００２７】
＜第２実施形態＞
第２実施形態の基本構成は図１〜図３と同じであるため、これらの図面を援用して第１実施形態との相違点を中心に説明する。
【００２８】
第１実施形態では、主ロープの張力が低下し、基準値を下回った場合に点灯中の表示器１４Ａ，１４Ｂ，１４Ｃを消灯するようにした。
【００２９】
第２実施形態では、張力判定部は、第１の基準値と、第２の基準値とを備えている。張力センサからの張力検出信号が第１の基準値以上である場合には、正常信号を生成し、第１の基準値未満で第２の基準値以上である場合には、注意信号を生成し、第２の基準値未満である場合には、異常信号を生成し、これら正常信号、注意信号又は異常信号を表示器に出力する。そして、表示器は、判定信号が正常信号、注意信号又は異常信号であるかによって、表示態様を変更する。
【００３０】
第１の基準値は、例えば、張力の調整が必要ではないが、正常値よりも低下しているような状態を検出するための指標となる。また、第２の基準値は、張力調整を必要とするほどまで張力が低下していることを検出するための指標となる。
【００３１】
この第１の基準値及び第２の基準値は、各張力判定部１６Ａ，１６Ｂ，１６Ｃのそれぞれに設定されており、各張力センサ１０Ａ，１０Ｂ，１０Ｃからの張力検出信号の信号レベルの判定値となる。
【００３２】
表示器における表示態様の変更は、例えば、張力検出信号が第１の基準値以上である場合には、表示器は緑色で点灯し、第１の基準値未満で第２の基準値以上である場合には、黄色で点灯する。
【００３３】
図８の例では、主ロープ２Ａの張力は正常であり、第１の基準値（第１点灯レベル）を上回っているので、表示器１４Ａは緑色に点灯する。主ロープ２Ｂの張力は第１の基準値未満であるが、第２の基準値（第２点灯レベル）以上であるので、表示器１４Ｂは注意を促す黄色に点灯する。そして、主ロープ２Ｃの張力は第２の基準値（第２点灯レベル）未満であるので、表示器１４Ｃは赤色に点灯して張力低下を警告する。
【００３４】
このように、第２実施形態によれば、第１実施形態に効果に加え、張力レベルに応じて表示色を変更するようにしているので、より一層、張力がどの程度低下しているのかを判定することが可能になり、利便性が向上する。
【００３５】
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３６】
１…乗りかご、２，２Ａ，２Ｂ，２Ｃ…主ロープ、３…つり合いおもり、４…巻上機、５…かごシーブ、６…つり合いおもりシーブ、７…ロープヒッチ部、８，２Ａ，２Ｂ，２Ｃコイルばね、９…ヒッチプレート、１０Ａ，１０Ｂ，１０Ｃ…張力センサ、１１Ａ，１１Ｂ，１１Ｃ…張力調整部、１２…制御盤、１３…表示装置、１４Ａ，１４Ｂ，１４Ｃ…表示器、１５…電源スイッチ、１６Ａ，１６Ｂ，１６Ｃ…張力判定部、１００…エレベータロープの張力判定システム。
【図１】
2019119564.tif 000003
【図２】
2019119564.tif 000004
【図３】
2019119564.tif 000005
【図４】
2019119564.tif 000006
【図５】
2019119564.tif 000007
【図６】
2019119564.tif 000008
【図７】
2019119564.tif 000009
【図８】
2019119564.tif 000010
【手続補正書】
【提出日】平成31年1月15日(2019.1.15)
【手続補正１】
【補正対象書類名】特許請求の範囲
【補正対象項目名】全文
【補正方法】変更
【補正の内容】
【特許請求の範囲】
【請求項１】
エレベータの主ロープの張力を判定する張力判定システムであって、
前記主ロープの端部が接続されるロープヒッチ部に設けられ、前記主ロープに架かる張力を検出して張力検出信号を出力する張力センサと、
前記張力検出信号を入力して基準信号と比較することで、前記主ロープの張力を判定して判定信号を出力する張力判定部と、
前記判定信号を入力して判定結果を表示する表示器と、
を備え、
前記表示器は、前記ロープヒッチ部を構成するヒッチプレート上に設置された表示装置内に設けられたＬＥＤ表示器であり、入力された前記判定信号が正常信号であるか、又は異常信号であるかを表示する、
ことを特徴とするエレベータロープの張力判定システム。
【請求項２】
前記ロープヒッチ部は、前記ヒッチプレートと、このヒッチプレート上に設けられるコイルばねと、このコイルばねの圧縮力を調整することで前記主ロープの張力を調整する張力調整部とを備え、
前記張力センサは、前記ヒッチプレートと前記コイルばねとの間に介挿されたロードセルで構成される、
ことを特徴とする請求項１に記載のエレベータロープの張力判定システム。
【請求項３】
前記張力判定部は、エレベータの運転を制御する制御盤内に設けられ、
前記張力センサからの張力検出信号が基準値以上である場合には、正常信号を生成し、基準値未満である場合には、異常信号を生成し、これら正常信号又は異常信号を前記表示器の点灯信号又は消灯信号として出力する、
ことを特徴とする請求項１又は２に記載のエレベータロープの張力判定システム。
【請求項４】
前記張力判定部は、第１の基準値と、第２の基準値とを備え、
前記張力センサからの張力検出信号が第１の基準値以上である場合には、正常信号を生成し、第１の基準値未満で第２の基準値以上である場合には、注意信号を生成し、第２の基準値未満である場合には、異常信号を生成し、これら正常信号、注意信号又は異常信号を前記表示器に出力し、
前記表示器は、判定信号が正常信号、注意信号又は異常信号であるかによって、表示態様を変更する、
ことを特徴とする請求項１又は２に記載のエレベータロープの張力判定システム。
【手続補正書】
【提出日】平成31年4月8日(2019.4.8)
【手続補正１】
【補正対象書類名】特許請求の範囲
【補正対象項目名】全文
【補正方法】変更
【補正の内容】
【特許請求の範囲】
【請求項１】
エレベータの主ロープの張力を判定する張力判定システムであって、
前記主ロープの端部が接続されるロープヒッチ部に設けられ、前記主ロープに架かる張力を検出して張力検出信号を出力する張力センサと、
前記張力検出信号を入力して基準信号と比較することで、前記主ロープの張力を判定して判定信号を出力する張力判定部と、
前記判定信号を入力して判定結果を表示する表示器と、を備え、
前記張力判定部は、エレベータの運転を制御する制御盤内に設けられ、かつ、
前記張力判定部は、第１の基準値と、第２の基準値とを備え、前記張力センサからの張力検出信号が第１の基準値以上である場合には、正常信号を生成し、第１の基準値未満で第２の基準値以上である場合には、注意信号を生成し、第２の基準値未満である場合には、異常信号を生成し、これら正常信号、注意信号又は異常信号を前記判定信号として前記表示器に出力し、
前記表示器は、ヒッチプレート上に設置された表示装置内に設けられたＬＥＤ表示器であり、前記判定信号が正常信号、注意信号又は異常信号であるかによって、表示態様を変更する、
ことを特徴とするエレベータロープの張力判定システム。
【請求項２】
前記ロープヒッチ部は、前記ヒッチプレートと、このヒッチプレート上に設けられるコイルばねと、このコイルばねの圧縮力を調整することで前記主ロープの張力を調整する張力調整部とを備え、
前記張力センサは、前記ヒッチプレートと前記コイルばねとの間に介挿されたロードセルで構成される、
ことを特徴とする請求項１に記載のエレベータロープの張力判定システム。